(57)【要約】      （修正有）【課題】食器具などの洗浄用具を提供する。【解決手段】靴下製造時発生するリング状の捨糸を指編みにより作成する洗浄用具本体、それにリング状の捨糸を吊るし紐用に結び付けた洗浄用具である。  作り方は、リング状の靴下の捨糸で、まず１つのリング状捨糸を多重の輪にし、その輪の中に同じく捨糸を２重にした輪３を差し込む。図に示すように２重にした輪を次々入れて鎖編みをしていく。複数の鎖編みをした輪の中にリング状の捨糸を通し、トンボの羽のように折り曲げる。で鎖編みの最終の折り曲げ穴に輪を通し、続けて編んでいく。再度トンボの羽の折り曲げ編みの空間にリング状の捨糸を通していく。このような作業を繰り返すことにより多段の編み目が構成される。最後に前段の穴に捨糸を通した洗浄用具。【選択図】図３
0003119038.tif 000002
【実用新案登録請求の範囲】
【請求項１】
１つのリング状捨糸を多重に輪にし、その輪の中に同じく捨糸１を２重にした輪を差し
込む。２重にした輪を次々更に入れて鎖編みをしていく。更に最初の多重の輪と複数の鎖編みをした輪の中にリング状の捨糸１を通し、トンボの羽のようにして折り曲げる。それを鎖編みの最終の折り曲げ穴にその前の折り曲げ輪を通す。以下その作業を連続することにより示すような構成となり、次いで再度第１の鎖編みと第２段目のトンボの羽の折り曲げ編みの間の空間に、再度リング状の捨糸を通し、前と同じように目の穴を通していく。このような作業を繰り返すことによりできる、多段の編み目で構成されることを特徴とする洗浄用具。
【考案の詳細な説明】
【技術分野】
【０００１】
本考案は食器具、浴槽、洗面器などの汚れを落とすための洗浄用具に関するものである
【背景技術】
【０００２】
従来から食器、浴槽、洗面器などの汚れを落とすための手段として、洗剤を使用するスポンジからなるたわしが広く知られている。また文献では洗浄効果の少ないものしかない
【考案の開示】
【考案が解決しようとする課題】
【０００３】
従来から使用されているスポンジからなるたわしは、そのもの自体の硬度が極めて柔らかく凹凸や隙間も微小で細かく、食器具などの油汚れを効率よく落とすには、どうしても
洗剤の使用を必要とし、そのため洗浄後の下水は洗剤成分を含んで河川の水質を汚して環境汚染を発生する。また、行政や個人の下水処理費用が増大し、家庭の洗剤代の負担も必要となる。
本考案によるニット生地のリング状捨糸を指編みした洗浄用具は、洗剤を使用せずに効率よく汚れを落とす能力を持ち、スポンジたわしの諸欠点を解決しようとするものである
【特許文献１】特開平１０−２９５６０８号公報
【課題を解決するための手段】
【０００４】
指編み洗浄用具は、混紡糸で編まれたリング状の捨糸を材料にして指編みし、手に持ちながら洗浄するのに適した大きさ、固さ、編み密度、形状に作る。使い方は、洗浄用具に水又は湯を浸し含ませ手で持ち、洗浄対象物の汚れを拭い取りながら水又は湯をかけて洗い流す。洗浄用具の端部に結び付けた吊るし紐を使って、本体では洗い難いコップの中底
茶碗の糸底、食器具の隅部分などの細部洗浄に使用すると、荒い易く洗浄効果が高まる。
また吊るし紐は洗浄用具の保管に便利である。
【０００５】
本考案はアクリルと綿との混紡糸でメリヤス編みされた靴下生地のリング状捨糸で構成されているので、リング状捨糸自体に編み目の空間と凹凸が多くあり、加えてそのリング状捨糸を使用して指編みによる洗浄用具を形成するので、大きな編み目の凹凸が多数生まれる結果、洗浄対象物を拭くと、それに付着した汚れを大量に吸着する能力と拭い取る能力により洗浄不要となり、下水の汚水発生を防止し洗剤の費用負担軽減など問題点を解決する。リング状捨糸の編み目の空間の小凹凸、指編みによる大凹凸、これらの特徴を活用した指編みにより使いやすく構成された洗浄用具である。
【考案の効果】
【０００６】
上述のように本考案の洗浄不要の洗浄用具は、食器具などの洗浄作業に洗剤不要であることは勿論、本体端部に吊るし紐を装着したことにより、吊るし紐を使用して洗浄対象物の隅部分、底部分など本体では洗浄し難い箇所を容易に洗浄することができる。
また台所などの壁面のフックなどの吊り下げ保管に便利である。指編みでリング状捨糸を連結して編んでいくので、洗浄用具の大きさ、固さ、編み密度、形状など自由に調節可能
となり、使用者の手の大きさ、洗浄対象物の形状大小に適応した洗浄用具を作ることができ、使用者にとって使い勝手のよいものができる。洗剤を使用しなくても汚れがよく落ち洗浄用具に水又は湯を浸し含ませて汚れ面を拭きながら水または湯で濯ぐだけで、食器具の表面に付着した食物の汚れ、水アカ、油汚れなどを効率よく除去することができる。
【０００７】
洗剤をほとんど使用しないため、家庭からの雑排水による環境汚染、人体残留への不安経済的負担、水道使用量などの諸問題を改善し、資源は有限との認識を高めることも期待でき、地球環境を守るうえでも資源保存の一つの手段ともなり得る。また指を動かす事により認知症予防効果も期待でき、社会保障費軽減、高齢者健康維持対策の一策にもなり得ると思われる。
このように極めて簡単な構成で、洗剤を使用する必要もなく、混紡糸及び編み目の空間と凹凸により、油類を含む汚れを効率よく除去することができる指編みの洗浄用具を提供することができる。
【考案を実施するための最良の形態】
【０００８】
本考案の指編み洗浄用具に水又は湯を浸し含ませて手で持ち、洗剤を使用せず食器具など洗浄対象物を拭き取りながら水又はお湯で濯ぐ。
【実施例】
【０００９】
本考案の実施例を図面に従って説明する。図１〜図６までが本考案の洗浄用具を作る手順を示し、図７は完成品の状態を示す。
本考案は靴下のリング状の捨糸を利用し、リングを鎖状に連結し、その鎖状の穴にまた捨糸を通し、第２、第３の鎖状の目を複数列作り洗浄用具にするものである。
図１に示すリングの直径約６ｃｍから７ｃｍ巾約1ｃｍの捨糸（編み生地）１を多重の輪にし、その輪の中に同じく捨糸１を二重にした輪を差し込む。図２に示すように２重にした輪を次々入れて鎖編みをしていく。図３で、最初の多重の輪と複数の鎖編みをした輪の中にリング状の捨糸１を通し、トンボの羽のようにして折り曲げる。図４で鎖編みの最終の折り曲げ穴にその前の折り曲げ輪を通し、以下その作業を連続することにより図５に示すような構成となり、図６で再度第１の鎖編みと第２段目のトンボの羽の折り曲げ編みの間の空間に再度リング状の捨糸を通し、前と同じように羽の穴を通していく。
図７のような作業を繰り返すことにより多列の編み目が構成が出来る。最後に端に残った穴の下列（下段）の端の穴に捨糸を通して結び、最後の端に残った穴を通して吊るし紐とする。
【００１０】
このように簡単な編み方で数列の鎖編みを設けることにより、平面状の洗浄用具を作成するものである。勿論この鎖編みの本数と列数は多くすれば、平面状や筒状の布巾、座布団のようないろいろな形状に作ることが出来るものである。靴下廃材の細かい目を活用し指編みにより大きな凹凸が作られ、表面積の大きい洗浄用具となり、汚れの落としやすい構成となっている。
【００１１】
上述のように本考案洗浄用具は、食器具洗浄の他に、家具、浴槽、洗面器、床、壁、ガラス、冷蔵庫、乗用車などの汚れを除去するための用具としても使用できる。
【図面の簡単な説明】
【００１２】
【図１】第１列目、多重リングに２重リングを差し込んだ図である。
【図２】２重リングを次々に差し込んで鎖編みした図である。
【図３】第２列目、多重の輪と鎖編みの輪に１重のリングを通し折り曲げる図である。
【図４】最終の折り曲げ穴にその、その前の折り曲げ輪を通す図である。
【図５】図４の作業を繰り返して出来た第２列目の形の図である。
【図６】第３列目、２列目の折り曲げの空間に１重のリングを通す図である。
【図７】折り曲げ羽の穴に次々通し、最後に吊るし紐を結び完成した斜視図である。
【符号の説明】
【００１３】
１    リング状の捨糸（編み生地）
２    ４重リング
３    ２重リング
４    １重リング
５    １重リングの吊るし紐
【図１】
0003119038.tif 000003
【図２】
0003119038.tif 000004
【図３】
0003119038.tif 000005
【図４】
0003119038.tif 000006
【図５】
0003119038.tif 000007
【図６】
0003119038.tif 000008
【図７】
0003119038.tif 000009
【手続補正書】
【提出日】平成17年11月24日(2005.11.24)
【手続補正１】
【補正対象書類名】実用新案登録請求の範囲
【補正対象項目名】請求項１
【補正方法】変更
【補正の内容】
【請求項１】
１つのリング状捨糸を多重に輪にし、その輪の中に同じく捨糸１を２重にした輪を差し込み、２重にした輪を次々更に入れて鎖編みをしていき、更に最初の多重の輪と複数の鎖編みをした輪の中にリング状の捨糸１を通し、トンボの羽のようにして折り曲げ、それを鎖編みの最終の折り曲げ穴にその前の折り曲げ輪を通し、次いで再度第１の鎖編みと第２段目のトンボの羽の折り曲げ編みの間の空間に、再度リング状の捨糸を通し、前と同じように目の穴を通していき、このような作業を繰り返すことによりできる、多段の編み目で構成されることを特徴とする洗浄用具。